(57)【要約】      （修正有）【課題】製造コストを増加させることなく排気ダクトから滴下する雨水を良好に排出させることができる給湯装置を提供する。【解決手段】筐体２の前側に前面板１６を装着する。前面板１６に、排気ダクト６に連結部７を介して連結された排気口体８が貫通する排気用貫通孔１７を設ける。排気用貫通孔１７の下方に、空気を筐体２内に取入れる空気取入口を設ける。前面板１６の裏面側に、上方で開放される空隙２１を存して、空気取入口から取込まれた空気を上昇方向に案内すると共に空気に伴って空気取入口から侵入した水滴を分離する防雨板２０を設ける。連結部７を、前面板１６と防雨板２０との間の空隙２１に直上から臨むように配置する。【選択図】図２
2006300366.tif 000002
【特許請求の範囲】
【請求項１】
バーナ及び排気ダクトを備えた熱交換器を収容して前側が開放された筐体と、該筐体の前側に装着された前面板とを備え、該前面板には、排気ダクトの先端に連結部を介して連結された排気口体が貫通して該排気口体に備える排気口を露出させる排気用貫通孔と、該排気用貫通孔の下方に位置してバーナーの燃焼用空気を筐体内に取入れる空気取入口とが形成され、該前面板の裏面側の少なくとも前記空気取入口に対向する位置に、上方で開放される空隙を存して、空気取入口から取込まれた空気を上昇方向に案内すると共に空気に伴って空気取入口から侵入した水滴を分離する防雨板が設けられた給湯装置において、
前記排気ダクトと排気口体との連結部を、前面板と防雨板との間の空隙に直上から臨むように配置したことを特徴とする給湯装置。
【請求項２】
前記連結部は、前記排気ダクトの先端周縁から外方に張り出す第１鍔部と、排気口体の基端周縁から前記第１鍔部に対応して外方に張り出す第２鍔部とを互いに当接させて連結することを特徴とする請求項１記載の給湯装置。
【発明の詳細な説明】
【技術分野】
【０００１】
本発明は、バーナ及び排気ダクトを備えた熱交換器を収容して前側が開放された筐体と、該筐体の前側に装着された前面板とを備えて、屋外設置に好適な給湯装置に関する。
【背景技術】
【０００２】
この種の給湯装置においては、前面側が開口した筐体にバーナーを有する熱交換器が収納され、その前面には前面板が着脱自在に装着されている。熱交換器の上部にはバーナからの排気を案内する排気ダクトが設けられ、前面板には、排気ダクトの排気口が貫通する排気用貫通孔が形成されている。また、前面板には、バーナの燃焼に必要な空気を取り入れる空気取入口が、排気用貫通孔よりも下方の位置に形成されている。
【０００３】
また、前面板の裏面には、給湯装置が屋外に設置されることを想定して防雨板が設けられている。防雨板は、空気取入口に対向して前面板の裏面を空隙を存して覆うように設けられ、該空隙によって空気取入口から取込まれた空気を上昇方向に案内すると共に、空気取入口から空気と共に侵入した雨水を空気から分離させ、前面板の下縁部を伝わらせて筐体外部に流すようになっている（例えば、特許文献１参照）。防雨板を設けることによって、雨水が給湯装置内部に侵入することが防止でき、給湯装置の作動を制御する制御ユニット等への悪影響を防止することができる。
【０００４】
更に、従来においては、排気ダクトを伝わった雨水が滴下することを考慮して、排気ダクトと防雨板との間に張り出して排気ダクトからの水滴を受ける雨受け板が設けられる。雨受け板は前面板の一側方向に傾斜して設けられ、該雨受け板に滴下した雨水を前面板の一側に向かって流動させた後に裏面に伝わらせて流下させることで給湯装置内部への雨水の侵入を防止している（例えば、特許文献２参照）。
【０００５】
しかし、前面板の裏面に雨受け板を設けるために、部品点数が増加すると共に製造工数も増加する。このため製造コストが増加する不都合がある。
【特許文献１】特開２００４−１０８６６９号公報（図２）
【特許文献２】特開平９−２９６９６１号公報（図４）
【発明の開示】
【発明が解決しようとする課題】
【０００６】
かかる不都合を解消して、本発明は、製造コストを増加させることなく排気ダクトから滴下する雨水を良好に排出させることができる給湯装置を提供することを目的とする。
【課題を解決するための手段】
【０００７】
かかる目的を達成するために、本発明は、バーナ及び排気ダクトを備えた熱交換器を収容して前側が開放された筐体と、該筐体の前側に装着された前面板とを備え、該前面板には、排気ダクトの先端に連結部を介して連結された排気口体が貫通して該排気口体に備える排気口を露出させる排気用貫通孔と、該排気用貫通孔の下方に位置してバーナーの燃焼用空気を筐体内に取入れる空気取入口とが形成され、該前面板の裏面側の少なくとも前記空気取入口に対向する位置に、上方で開放される空隙を存して、空気取入口から取込まれた空気を上昇方向に案内すると共に空気に伴って空気取入口から侵入した水滴を分離する防雨板が設けられた給湯装置において、前記排気ダクトと排気口体との連結部を、前面板と防雨板との間の空隙に直上から臨むように配置したことを特徴とする。
【０００８】
本発明は、給湯装置が屋外に設置されることを想定して前記前面板の裏面側に前記防雨板が設けられる。該防雨板によって、空気取入口から侵入した水滴を分離することができ、雨水を防雨板と前面板との間の空隙内で流下させるので、空気取入口から給湯装置内部への雨水の侵入を防止することができ、給湯装置の作動を制御する制御ユニット等への悪影響を防止することができる。
【０００９】
更に、本発明の給湯装置は、排気ダクトの先端に連結部を介して排気口体が連結されている。排気口体を排気ダクトの先端に連結して設けることにより、排気ダクト全体を交換することなく、所望の排気口の形状を有する排気口体に交換することが可能となっている。
そして、給湯装置が屋外に設置されている場合に降雨時には、雨水が排気口から排気口体の内部に侵入する。排気口体の内部に侵入した雨水は、排気ダクトと排気口体との連結部を伝って滴下する。このとき、本発明においては、前記排気ダクトと排気口体との連結部を、前面板と防雨板との間の空隙に直上から臨むように配置したことにより、前記連結部から滴下する雨水を防雨板と前面板との間の空隙内に確実に落下させることができ、給湯装置内部への雨水の侵入を確実に防止することができる。これによって、従来のような雨受け板を前面板の裏面側に設ける必要がなく、部品点数や製造工数を削減することができて製造コストを低減することができる。
【００１０】
また、本発明において、前記連結部は、前記排気ダクトの先端周縁から外方に張り出す第１鍔部と、排気口体の基端周縁から前記第１鍔部に対応して外方に張り出す第２鍔部とを互いに当接させて連結することを特徴とする。
【００１１】
前記連結部が前記第１鍔部と前記第２鍔部との当接によって形成されていることにより、排気口から排気口体の内部に侵入した雨水を第１鍔部と第２鍔部との当接部分を伝わらせて、確実に連結部の下方に滴下させることができる。また、雨水が前側板の排気用貫通孔を介して排気口体の外面を伝って前側板の内側に侵入しても、連結部の第１鍔部と第２鍔部とによって雨水の流動が堰き止められ、更に雨水は第１鍔部と第２鍔部とによる連結部によって下方に確実に案内されるので、雨水を防雨板と前面板との間の空隙内に確実に落下させることができる。
【発明を実施するための最良の形態】
【００１２】
本発明の一実施形態を図面に基づいて説明する。図１は本実施形態の給湯装置の概略構成を示す説明図、図２は本実施形態の給湯装置の要部の構成を示す説明図、図３は本実施形態の給湯装置の説明的正面図、図４は本実施形態における前面板の裏面側を示す説明図である。
【００１３】
図１に示すように、本実施形態の給湯装置１は、前側が開放された筐体２を備えている。該筐体２の内部には、バーナ（図示しない）を収容する燃焼ケース３と、該燃焼ケース３の上方に連設された熱交換器４と、燃焼ケース３の下方に配置され、燃焼ケース３内のバーナに燃焼空気を強制的に供給する燃焼ファン５とが収納されている。
【００１４】
また、燃焼ケース３内のバーナの燃焼に伴う排気ガスを排出するため、熱交換器４の上部には排気ダクト６が連設されている。該排気ダクト６は、熱交換器４の上方に向かう排気ガスを屈曲させて筐体２の前方に向かって流動させる形状に形成されている。排気ダクト６の先端には、連結部７を介して排気口体８が連設されている。排気口体８の前端には排気ダクト６から送り出される排気ガスを外部に放出する排気口９が形成されている。
【００１５】
図２に示すように、排気ダクト６と排気口体８とを連結する連結部７は、排気ダクト６の先端周縁から外方に張り出す第１鍔部１０と、排気口体８の基端周縁から外方に張り出す第２鍔部１１とが互いに当接され、両鍔部１０，１１を介してネジ等の連結部材１２によって連結されている。これにより、連結部材１２による連結を解除することによって、排気ダクト６から排気口体８を取り外すことができ、排気口９の形状が異なるものに交換自在となっている。なお、両鍔部１０，１１の間には、合成樹脂性のパッキン１３が介在している。
【００１６】
図１に示すように、熱交換器４は、内部に被加熱水を導通させる導水管１４を備え、該導水管１４の上流端部には図示しない給水管が接続され、該導水管１４の下流端部には図示しない出湯管が接続されている。給湯装置１の作動は筐体２内に設けた制御ユニット１５によって制御される。
【００１７】
図１に示すように、筐体２の前側には前面板１６が着脱自在に装着される。前面板１６は、スチール製薄板を略長方形の皿状にプレス成形して仕上塗装を施したものである。図３に示すように、前面板１６には、排気口体８が貫通して排気口９を外方に露出させる排気用貫通孔１７が形成されており、排気用貫通孔１７の下方（前面板１６の下端部）にはバーナの燃焼に必要な空気を筐体２内に取入れるため複数のスリット状の空気取入口１８が形成されている。なお、図２に示すように、排気口体８の外周には、排気用貫通孔１７の内縁に形成される隙間を塞ぐリング状のパッキン１９が装着されている。
【００１８】
また、図１及び図４に示すように、前面板１６の裏面には、屋外に設置されることを想定して防雨板２０が設けられている。防雨板２０は、スチール製薄板を所定の形状にプレス成形し仕上塗装を施したものであり、上方で開放される空隙２１を存して前面板１６に取付けられていることによって、空気取入口１８から取込まれた空気を一旦筐体２の上方に案内する空気通路を前面板１６との間で形成している。そして、雨が降っている場合、空気取入口１８を介して空気と共に雨水も一緒に空気通路（空隙２１）内に取込まれるが、雨水は防雨板２０によって筐体２内部への侵入が阻まれ、しかも空気通路（空隙２１）内では空気のみが上昇するので、空気から雨水のみが分離される。空気通路（空隙２１）内に侵入した雨水は、前面板１６や防雨板２０を伝って下方に流れ、前面板１６の下縁の僅かな隙間から外部に排出される。
【００１９】
ところで、空気取入口１８から空気に伴って取入れられた雨水は防雨板２０によって筐体２内への侵入が防止されるが、前記排気用貫通孔１７を介して侵入する雨水や、前記排気口９を介して排気口体８内に入った雨水が連結部７を伝って筐体２内に滴下する事態を考慮する必要がある。
【００２０】
そこで、本実施形態においては、図２に示すように、前記排気ダクト６と排気口体８との連結部７を、前面板１６と防雨板２０との間の空隙２１に直上から臨むように配置した。これにより、雨水が排気口９を介して排気口体８内に入ったとき、連結部７を伝ってその外側にしみだしても、連結部７から滴下した雨水は前面板１６と防雨板２０との間の空隙２１に向かって落下する。しかも、連結部７は第１鍔部１０と第２鍔部１１とが互いに当接して連結されていることにより、両鍔部１０，１１の間を伝った雨水を前面板１６と防雨板２０との間の空隙２１に向かって確実に落下させることができる。
【００２１】
また、排気用貫通孔１７と排気口体８との間を伝って侵入した雨水は、第１鍔部１０と第２鍔部１１とによって形成される連結部７によってせき止められて排気ダクト６側には流動せず、更には第２鍔部１１の表面を伝って下方に滴下される。このように、排気用貫通孔１７と排気口体８との間から侵入した雨水も前面板１６と防雨板２０との間の空隙２１に向かって確実に落下させることができる。
【００２２】
このように、本実施形態に示す構成によれば、従来のような雨受け板を設けることなく排気用貫通孔１７や排気口９を伝って侵入した雨水を前面板１６と防雨板２０との間の空隙２１に落下させることができるので、製造コストを増加させることなく雨水を良好に排出させることができる。しかも、水滴が筐体２内に侵入することを確実に防止することができるので、雨水による制御ユニット１５への悪影響を確実に防止することができる。
【図面の簡単な説明】
【００２３】
【図１】本発明の一実施形態の給湯装置の概略構成を示す説明図。
【図２】本実施形態の給湯装置の要部の構成を示す説明図。
【図３】本実施形態の給湯装置の説明的正面図。
【図４】本実施形態における前面板の裏面側を示す説明図。
【符号の説明】
【００２４】
１…給湯装置、２…筐体、４…熱交換器、６…排気ダクト、７…連結部、８…排気口体、９…排気口、１０…第１鍔部、１１…第２鍔部、１６…前面板、１７…排気用貫通孔、１８…空気取入口、２０…防雨板、２１…空隙。
【図１】
2006300366.tif 000003
【図２】
2006300366.tif 000004
【図３】
2006300366.tif 000005
【図４】
2006300366.tif 000006